(57)【要約】【課題】  パネル板の前面から水や埃等が裏側に侵入しない発電機用配電パネルを得る。【解決手段】  パネル板２にスイッチ３を含む複数の電気部品を貫通状態で取り付ける。パネル板２の裏側を防水・防塵用のボックス１０で覆う。パネル板２の前面を覆って防水・防塵用のカバー１１を被せる。カバー１１はその周囲の面をパネル板２の周囲の面にパッキン１３を介して開閉可能に取り付ける。カバー１１の裏面には、スイッチ３を動作しないように押さえる押さえ部材１４を設ける。【選択図】    図２
2005341639.tif 000002
【特許請求の範囲】
【請求項１】
パネル板にスイッチを含む複数の電気部品が貫通状態で取り付けられ、前記パネル板の裏側が防水・防塵用のボックスで覆われている発電機用配電パネルにおいて、
前記パネル板の前面を覆って防水・防塵用のカバーが被せられ、前記カバーはその周囲の面が前記パネル板の周囲の面にパッキンを介して開閉可能に取り付けられ、前記カバーの裏面には前記スイッチを動作しないように押さえる押さえ部材が設けられていることを特徴とする発電機用配電パネル。
【請求項２】
前記カバーは前記パネル板に蝶番で開閉可能に取り付けられていることを特徴とする請求項１に記載の発電機用配電パネル。
【発明の詳細な説明】
【技術分野】
【０００１】
本発明は、発電機用配電パネルに関するものである。
【背景技術】
【０００２】
従来のこの種の発電機用配電パネルは、図４及び図５に示す構造であった。ここで、図４はこの発電機用配電パネルの正面図、図５はこの発電機用配電パネルの縦断側面図である。
【０００３】
この発電機用配電パネル１は、例えば、特許文献１，２に示すように、パネル板２を有し、このパネル板２にはスイッチ３を含む、ブレーカ４，コンセント５等の複数の電気部品が貫通状態で取り付けられている。これら電気部品は、パネル板２の裏側でケーブル６の各コード７に接続されている。各コード７の末端には、端子８やコネクタ９等が接続されている。また、パネル板２の裏側は、防水・防塵用の樹脂製のボックス１０で覆われている。ケーブル６は、ボックス１０を液密に貫通されている。
【０００４】
このように従来の発電機用配電パネル１では、パネル板２の裏側からはボックス１０により水や塵等は侵入しないようになっていた。
【特許文献１】実開平５−７８１６７号公報
【特許文献２】特開２００３−１２０３１１号公報
【発明の開示】
【発明が解決しようとする課題】
【０００５】
しかしながら、このような構造では、スイッチ３，ブレーカ４，コンセント５等の各電気部品がパネル板２に貫通状態で取り付けられているので、パネル板２の前面から水や埃等が該パネル板２の裏側に侵入し、各電気部品を保護できない問題点があった。
【０００６】
本発明の目的は、パネル板の前面から水や埃等が裏側に侵入できないようにすることができる発電機用配電パネルを提供することにある。
【０００７】
本発明の他の目的は、パネル板の前面にカバーをかけても、パネル板の前面のスイッチの誤動作を防止できる発電機用配電パネルを提供することにある。
【０００８】
本発明の他の目的は、カバーは前記パネル板に蝶番で開閉可能に取り付けられていることな発電機用配電パネルを提供することにある。
【課題を解決するための手段】
【０００９】
本発明は、パネル板にスイッチを含む複数の電気部品が貫通状態で取り付けられ、前記パネル板の裏側が防水・防塵用のボックスで覆われている発電機用配電パネルを対象とする。
【００１０】
本発明に係る発電機用配電パネルでは、前記パネル板の前面を覆って防水・防塵用のカバーが被せられ、前記カバーはその周囲の面が前記パネル板の周囲の面にパッキンを介して開閉可能に取り付けられ、前記カバーの裏面には前記スイッチを動作しないように押さえる押さえ部材が設けられていることを特徴とする。
【００１１】
この場合、前記カバーは前記パネル板に蝶番で開閉可能に取り付けられていることが好ましい。
【発明の効果】
【００１２】
本発明に係る発電機用配電パネルでは、パネル板の前面を覆って防水・防塵用のカバーを被せ、該カバーはその周囲の面をパネル板の周囲の面にパッキンを介して開閉可能に取り付けているので、パネル板の前面から水や埃等が裏側に侵入するのを防止することができる。このため、各電気部品を水や埃等から保護することができる。
【００１３】
特に本発明では、カバーの裏面にはパネル板の前面のスイッチを動作しないように押さえる押さえ部材が設けられているので、カバーを設けたことによるスイッチの誤動作を防止することができる。
【００１４】
また、カバーがパネル板に蝶番で開閉可能に取り付けられていると、パネル板の前面でのカバーの開閉を容易に行うことができる。
【発明を実施するための最良の形態】
【００１５】
以下、本発明に係る発電機用配電パネルを実施するための最良の形態の一例を、図１乃至図３（Ａ）（Ｂ）を参照して詳細に説明する。ここで、図１は本例の発電機用配電パネルでパネル板の前面でカバーを開けた状態の側面図、図２は本例の発電機用配電パネルでパネル板の前面でカバーを閉じた状態の縦断側面図、図３（Ａ）（Ｂ）は本例で用いているカバーの正面図及び背面図である。なお、前述した図４及び図５と対応する部分には、同一符号を付けて示している。
【００１６】
本例の発電機用配電パネル１では、パネル板２の前面が合成樹脂製のカバー１１で覆われている。このカバー１１は、その裏面の周囲に沿った溝部１２にゴムパッキン１３が取り付けられていて、このゴムパッキン１３を介して開閉可能にパネル板２の前面の周囲に嵌って取り付けられている。また、カバー１１の裏面には、パネル板２の前面のスイッチ３を動作しないように押さえる突起からなる押さえ部材１４が設けられている。更に、カバー１１はパネル板２に蝶番１５で開閉可能に取り付けられている。この蝶番１５はカバー１１の上部の左右に取り付けられている。カバー１１とパネル板２の下部には、このカバー１１をパネル板２に開閉可能に係止するフック部１６ａ，１６ｂが設けられている。
【００１７】
このような発電機用配電パネルでは、パネル板２の前面を覆って防水・防塵用のカバー１１を被せ、該カバー１１はその周囲の面をパネル板２の周囲の面にパッキン１２を介して開閉可能に取り付けているので、パネル板２の前面から水や埃等が裏側に侵入するのを防止することができる。このため、各電気部品を水や埃等から保護することができる。
【００１８】
特に本発明では、カバー１１の裏面にはパネル板２の前面のスイッチ３を動作しないように押さえる押さえ部材１４が設けられているので、カバー１１を設けたことによるスイッチ３の誤動作を防止することができる。
【００１９】
また、カバー１１をパネル板２に蝶番１５で開閉可能に取り付けられているので、パネル板２の前面でのカバー１１の開閉を容易に行うことができる。
【図面の簡単な説明】
【００２０】
【図１】本発明に係る発電機用配電パネルの一例で、パネル板の前面でカバーを開けた状態の側面図である。
【図２】本例の発電機用配電パネルでパネル板の前面でカバーを閉じた状態の縦断側面図である。
【図３】（Ａ）（Ｂ）は本例で用いているカバーの正面図及び背面図である。
【図４】従来の発電機用配電パネルの正面図である。
【図５】従来の発電機用配電パネルの縦断側面図である。
【符号の説明】
【００２１】
１  発電機用配電パネル
２  パネル板
３  スイッチ
４  ブレーカ
５  コンセント
６  ケーブル
７  コード
８  端子
９  コネクタ
１０  ボックス
１１  カバー
１２  溝部
１３  ゴムパッキン
１４  押さえ部材
１５  蝶番
１６ａ，１６ｂ  フック部
【図１】
2005341639.tif 000003
【図２】
2005341639.tif 000004
【図３】
2005341639.tif 000005
【図４】
2005341639.tif 000006
【図５】
2005341639.tif 000007